(57)【要約】【課題】操作者による筆記内容を、操作者の意図する分類で仕分けして保存することができ、利便性を向上する。【解決手段】電子筆記装置２のＣＰＵ２０１は、電子ペン３の複数の位置情報を取得し、この取得された位置情報に基づき、紙媒体７０の任意の位置に記入されたマークＭを検出する。またＣＰＵ２０１は、上記取得された複数の位置情報を用いてストロークデータを生成する。そしてＣＰＵ２０１は、上記生成されストロークデータを、上記検出されたマークＭに対応したフォルダへ記憶させるための送信を行う。【選択図】図６
2013097509.tif 000002
【特許請求の範囲】
【請求項１】
筆記具を用いた操作者の被筆記媒体への筆記動作に伴って移動する、前記筆記具の複数の位置情報を取得する位置取得手段と、
前記位置取得手段により取得された前記位置情報に基づき、前記被筆記媒体の任意の位置に記入された、外部記憶装置に備えられた複数の格納先を選択するための識別用図像を検出する第１図像検出手段と、
前記位置取得手段で取得された前記複数の位置情報を用いて、前記被筆記媒体において前記識別用図像に対し所定の位置関係にある、前記筆記具による前記被筆記媒体への記載に対応した画像データを生成する第１データ生成手段と、
前記第１データ生成手段により生成された画像データを一時的に記憶する第１記憶手段と、
前記画像データを前記外部記憶装置へ記憶させるために通信により送信する第１通信手段と、
前記第１図像検出手段で前記識別用図像が検出されたことを契機に前記第１通信手段を制御し、前記第１データ生成手段により生成され前記第１記憶手段に記憶された画像データを、前記第１図像検出手段で検出された前記識別用図像に対応した前記格納先へ記憶するための送信を行う、第１送信制御手段と、
を有することを特徴とする電子筆記装置。
【請求項２】
請求項１記載の電子筆記装置において、
前記第１データ生成手段は、
前記筆記具により前記被筆記体に記載された文字列に対応した文字列画像データを生成し、
前記第１図像検出手段は、
前記所定の位置関係として、前記被筆記媒体の前記文字列の途中に記入された前記識別用図像を検出し、
前記第１通信手段は、
前記第１送信制御手段の制御に基づき、前記文字列画像データを、前記第１図像検出手段で検出された前記識別用図像に対応した前記格納先へ記憶するための送信を行う
ことを特徴とする電子筆記装置。
【請求項３】
請求項１記載の電子筆記装置において、
前記位置取得手段により取得された前記位置情報に基づき、前記筆記具による前記被筆記媒体への記載を略包囲する包囲線を検出する包囲線検出手段を有し、
前記第１図像検出手段は、
前記所定の位置関係として、前記包囲線の近傍に位置するか、若しくは、前記包囲線又はその近傍を起点とする線の終点又はその近傍に位置する、前記識別用図像を検出し、
前記第１通信手段は、
前記第１送信制御手段の制御に基づき、前記包囲線に略包囲された前記記載に対応した前記画像データを、前記第１図像検出手段で検出された前記識別用図像に対応した前記格納先へ記憶するための送信を行う
ことを特徴とする電子筆記装置。
【請求項４】
請求項１乃至請求項３のいずれか１項記載の電子筆記装置において、
前記位置取得手段により取得された前記位置情報に基づき、前記第１図像検出手段が、既に前記第１通信手段により前記送信が行われた画像データに対応する前記被筆記媒体への記載に対する新たな前記識別用図像の追記を検出した場合には、
前記第１送信制御手段は、前記第１通信手段を制御し、前記第１図像検出手段で検出された前記識別用図像の追記に対応した前記格納先の変更を行うための送信を行う
ことを特徴とする電子筆記装置。
【請求項５】
筆記位置検出装置により検出され、当該筆記位置検出装置に設けた被筆記媒体に対する操作者の筆記動作に伴って移動する筆記具の位置情報に基づき、前記被筆記媒体の任意の位置に記入された、外部記憶装置に備えられた複数の格納先を選択するための識別用図像を検出する第２図像検出手段と、
前記筆記位置検出装置により検出された複数の前記位置情報を用いて、前記被筆記媒体において前記識別用図像に対し所定の位置関係にある、前記筆記具による前記被筆記媒体への記載に対応した画像データを生成する第２データ生成手段と、
前記第２データ生成手段により生成された画像データを一時的に記憶する第２記憶手段と、
前記画像データを外部記憶装置へ記憶させるために通信により送信する第２通信手段と、
前記第２図像検出手段で前記識別用図像が検出されたことを契機に前記第２通信手段を制御し、前記第２データ生成手段により生成され前記第２記憶手段に記憶された画像データを、前記第２図像検出手段で検出された前記識別用図像に対応した前記格納先へ記憶するための送信を行う、第２送信制御手段と、
を有することを特徴とする筆記データ処理装置。
【発明の詳細な説明】
【技術分野】
【０００１】
本発明は、操作者による筆記内容を電子データ化する電子筆記装置及び筆記データ処理装置に関する。
【背景技術】
【０００２】
操作者が筆記具を用いて筆記した内容を電子データ化する電子筆記装置（筆記入力装置）が既に知られている（例えば、特許文献１参照）。この従来技術では、被筆記媒体（普通紙）が、保持手段（手書き入力部のステージ）上に載置される。この状態で、操作者が、筆記具（電磁ペン）を用いて被筆記媒体に対し所望の筆記を行うと、手書き入力部の検出回路が上記筆記具の位置情報を検出し、複数の位置情報に基づき上記被筆記媒体への記載に対応したデータ（加筆データ）が生成される。筆記作業が終了すると、上記被筆記媒体への記載に対応したデータが、通信インターフェースを介して外部記憶装置（パソコン）に送信され、保存される。
【先行技術文献】
【特許文献】
【０００３】
【特許文献１】特開２００１−１４７７７１号公報
【発明の概要】
【発明が解決しようとする課題】
【０００４】
上記のようにして筆記内容を電子データ化する場合、操作者によっては、多種多様な内容を被筆記媒体に筆記する場合がある。このような場合に、電子データ化された筆記内容を、操作者が意図するような分類に自動的に仕分けて保存することができれば非常に便利である。しかしながら、上記従来技術では、そのような点までは特に配慮されていなかった。
【０００５】
本発明の目的は、操作者による筆記内容を、操作者の意図する分類で仕分けして保存することができ、利便性を向上できる電子筆記装置及び筆記データ処理装置を提供することにある。
【課題を解決するための手段】
【０００６】
上記目的を達成するために、本願第１発明は、筆記具を用いた操作者の被筆記媒体への筆記動作に伴って移動する、前記筆記具の複数の位置情報を取得する位置取得手段と、前記位置取得手段により取得された前記位置情報に基づき、前記被筆記媒体の任意の位置に記入された、外部記憶装置に備えられた複数の格納先を選択するための識別用図像を検出する第１図像検出手段と、前記位置取得手段で取得された前記複数の位置情報を用いて、前記被筆記媒体において前記識別用図像に対し所定の位置関係にある、前記筆記具による前記被筆記媒体への記載に対応した画像データを生成する第１データ生成手段と、前記第１データ生成手段により生成された画像データを一時的に記憶する第１記憶手段と、前記画像データを前記外部記憶装置へ記憶させるために通信により送信する第１通信手段と、前記第１図像検出手段で前記識別用図像が検出されたことを契機に前記第１通信手段を制御し、前記第１データ生成手段により生成され前記第１記憶手段に記憶された画像データを、前記第１図像検出手段で検出された前記識別用図像に対応した前記格納先へ記憶するための送信を行う、第１送信制御手段と、を有することを特徴とする。
【０００７】
本願第１発明の電子筆記装置においては、操作者が筆記具を用いて筆記した内容を電子データ化することができる。すなわち、操作者が、所定の紙媒体などからなる被筆記媒体に対し筆記具を用いて所望の記載を行うと、筆記動作により移動する筆記具の複数の位置情報が位置取得手段によって取得される。そして、その取得された複数の位置情報を用いて、第１データ生成手段が上記被筆記媒体への記載に対応した画像データを生成する。この生成された画像データは第１記憶手段に一時的に記憶される。
【０００８】
ここで、本願第１発明では、上記のようにして記憶された、記載内容に対応した画像データを、外部記憶装置における所望の格納先に振り分けて格納することが可能である。すなわち、操作者が、上記のように被筆記媒体に筆記による記載を行った後、生成された画像データを保存したい格納先に対応付けられた所定の識別用図像を、前記記載と所定の位置関係となる任意の位置に記入することで、当該格納先への格納指示を行う。
【０００９】
すると、位置取得手段が取得する位置情報に基づき、第１図像検出手段が上記格納先に対応した識別用図像の記入を検出する。そして、第１図像検出手段による上記検出が行われたことを契機に第１送信制御手段が第１通信手段を制御することにより、上記第１記憶手段に記憶された画像データが無線通信により送信される。これにより、外部記憶装置に備えられた複数の格納先のうちの上記選択された格納先に、上記記載内容に対応した画像データが自動的に振り分けられ、格納される。
【００１０】
以上のようにして、本願第１発明においては、操作者は、被筆記媒体に対し筆記具を用いて筆記したときの記載内容を、識別用図像の記入によって選択した所望の格納先に確実に振り分けて格納することができる。これにより、操作者は、筆記内容を自分の意図する分類で容易に仕分けながら保存することができるので、利便性を向上することができる。
【００１１】
また、特に、上記の識別用図像の記入箇所は、被筆記媒体の特定の箇所に限定されることなく、被筆記媒体の上記記載に対し所定の位置関係となる限りにおいて、操作者が任意に選ぶことができる。したがって、識別用図像を記入できる領域（電子筆記装置側で認識できる領域）が被筆記媒体の特定の箇所に限定される場合に比べて使い勝手がよくなり、さらに利便性を向上することができる。
【００１２】
上記目的を達成するために、本願第５発明は、筆記位置検出装置により検出され、当該筆記位置検出装置に設けた被筆記媒体に対する操作者の筆記動作に伴って移動する筆記具の位置情報に基づき、前記被筆記媒体の任意の位置に記入された、外部記憶装置に備えられた複数の格納先を選択するための識別用図像を検出する第２図像検出手段と、前記筆記位置検出装置により検出された複数の前記位置情報を用いて、前記被筆記媒体において前記識別用図像に対し所定の位置関係にある、前記筆記具による前記被筆記媒体への記載に対応した画像データを生成する第２データ生成手段と、前記第２データ生成手段により生成された画像データを一時的に記憶する第２記憶手段と、前記画像データを外部記憶装置へ記憶させるために通信により送信する第２通信手段と、前記第２図像検出手段で前記識別用図像が検出されたことを契機に前記第２通信手段を制御し、前記第２データ生成手段により生成され前記第２記憶手段に記憶された画像データを、前記第２図像検出手段で検出された前記識別用図像に対応した前記格納先へ記憶するための送信を行う、第２送信制御手段と、を有することを特徴とする。
【００１３】
本願第５発明においては、操作者が筆記具を用いて筆記位置検出装置において被筆記媒体に筆記した内容を、筆記データ処理装置で電子データ化することができる。すなわち、操作者が、所定の紙媒体などからなる被筆記媒体に対し筆記具を用いて所望の記載を行うと、筆記動作により移動する筆記具の複数の位置情報が筆記位置検出装置によって検出される。そして、その検出された複数の位置情報を用いて、筆記データ処理装置の第２データ生成手段が上記被筆記媒体への記載に対応した画像データを生成する。この生成された画像データは筆記データ処理装置の第２記憶手段に一時的に記憶される。
【００１４】
ここで、本願第５発明では、上記のようにして記憶された、記載内容に対応した画像データを、外部記憶装置における所望の格納先に振り分けて格納することが可能である。すなわち、操作者が、上記のように被筆記媒体に筆記による記載を行った後、生成された画像データを保存したい格納先に対応付けられた所定の識別用図像を、前記記載と所定の位置関係となる任意の位置に記入することで、当該格納先への格納指示を行う。
【００１５】
すると、筆記位置検出装置により検出される位置情報に基づき、第２図像検出手段が上記格納先に対応した識別用図像の記入を検出する。そして、第２図像検出手段による上記検出が行われたことを契機に第２送信制御手段が第２通信手段を制御することにより、上記第２記憶手段に記憶された画像データが無線通信により送信される。これにより、外部記憶装置に備えられた複数の格納先のうちの上記選択された格納先に、上記記載内容に対応した画像データが自動的に振り分けられ、格納される。
【００１６】
以上のようにして、本願第５発明においては、上記第１発明と同様、操作者は、被筆記媒体に対し筆記具を用いて筆記したときの記載内容を、識別用図像の記入によって選択した所望の格納先に確実に振り分けて格納することができる。これにより、操作者は、筆記内容を自分の意図する分類で容易に仕分けながら保存することができるので、利便性を向上することができる。
【００１７】
また、特に、上記の識別用図像の記入箇所は、被筆記媒体の特定の箇所に限定されることなく、被筆記媒体の上記記載に対し所定の位置関係となる限りにおいて、操作者が任意に選ぶことができる。したがって、識別用図像を記入できる領域（筆記位置検出装置側で認識できる領域）が被筆記媒体の特定の箇所に限定される場合に比べて使い勝手がよくなり、さらに利便性を向上することができる。
【発明の効果】
【００１８】
本発明によれば、操作者による筆記内容を、操作者の意図する分類で仕分けして保存することができ、利便性を向上することができる。
【図面の簡単な説明】
【００１９】
【図１】本発明の一実施形態の電子筆記装置を備えた手書き入力システムの全体構成を表すシステム構成図である。
【図２】電子筆記装置の電気的構成を表す機能ブロック図である。
【図３】ストロークデータの一例を説明する説明図である。
【図４】ストロークデータにおけるペン位置番号と座標情報との対応付けの一例を説明する説明図である。
【図５】紙媒体に対し識別用図像が記入された場合の例を表す説明図である。
【図６】ストロークデータがサーバの１つのフォルダへ振り分けられて保存される一例を表す説明図である。
【図７】ストロークデータがサーバの１つのフォルダへ振り分けられて保存される別の例を表す説明図である。
【図８】電子筆記装置のＣＰＵが実行する制御手順を表すフローチャートである。
【図９】ユーザの追記に対応した変形例における、紙媒体の記載内容の例を表す説明図である。
【図１０】電子筆記装置のＣＰＵが実行する制御手順を表すフローチャートである。
【図１１】複数のフォルダに別々に振り分ける変形例、及び、書き込み文字の一部を包囲線で囲み、マークと対応付ける変形例における、紙媒体の記載内容の例を表す説明図である。
【図１２】操作処理端末において処理を行う変形例において、当該操作処理端末のＣＰＵの実行する制御手順を表すフローチャートである。
【発明を実施するための形態】
【００２０】
以下、本発明の一実施形態を図面を参照しつつ説明する。
【００２１】
＜システム概略＞
図１に、本実施形態の電子筆記装置２を備えた手書き入力システム１を示す。なお、以下の説明では、図１の紙面の上側、下側、右側、左側、手前側、奥行き側を、それぞれ、電子筆記装置２の上側、下側、右側、左側、手前側、奥行き側と定義して説明する。
【００２２】
図１に示すように、手書き入力システム１は、電子筆記装置２と、いわゆる電磁誘導式の電子ペン３（筆記具）と、ディスプレイ４とを備えている。なお、操作処理端末４００については、後述する。
【００２３】
＜電子筆記装置＞
電子筆記装置２は、平面視で上下方向に長い薄型の直方体状の形状を備えている。電子筆記装置２の右上部には、種々の情報を表示可能な小型のディスプレイ２１が設けられている。ディスプレイ２１の左側には、ユーザが電子筆記装置２を操作するための入力部２２が設けられている。ディスプレイ２１及び入力部２２の下側に、電子筆記装置２の手前側の大部分を占めるように、凹部形状の載置部２４が設けられている。載置部２４には、紙媒体７０（後述の図５参照）が載置され、また当該載置部２４とほぼ同一の範囲となるように座標検出部２５が設けられている。座標検出部２５は、電子ペン３の位置を表す座標情報（例えば載置部２４の左上部を原点（０，０）とする。詳細は後述）を検出する。そして、載置部２４は、紙媒体７０を、この例では紙媒体７０の左上の隅部が上記原点に一致する姿勢で保持する。なお、電子筆記装置２は、この例では、例えば無線（又は有線でもよい）通信により、ネットワークＮＷを介し、外部記憶装置としてのサーバＳＶに接続されている。
【００２４】
＜電子ペン＞
以下の説明では、電子ペン３において、ペン先３１が設けられている方向を先端方向という。また、先端方向の反対方向を後端方向という。電子ペン３は、この例では、芯３７と、検出スイッチ３３と、ボタン型の電池３４と、コイル３５と、基板３６と、を備えている。芯３７は金属製であり、ペン先３１とインク収納部３２とで構成されている。また、芯３７は、電子ペン３の先端部の内部に設けられ、そのペン先３１が外部に突出している。インク収納部３２にはインクが収納され、当該インクはペン先３１に供給される。これにより、ユーザ（操作者）は、電子ペン３を使用して紙媒体７０に所望の文字や図形等を記載することができる。
【００２５】
芯３７の後端方向には、上記基板３６が設けられている。基板３６の先端部には検出スイッチ３３が実装され、基板３６の後端方向には上記電池３４が設けられている。電池３４は基板３６に接続されており、電池３４のマイナス側の電極は、基板３６上の配線を介し上記コイル３５に電気的に接続されている。また、電池３４のプラス側の電極は、基板３６上の配線を介し上記検出スイッチ３３に電気的に接続されている。検出スイッチ３３は、基板３６上の配線を介しコイル３５に電気的に接続されている。コイル３５は、電子ペン３の内部の先端部において芯３７の周囲に巻回されている。
【００２６】
＜電子ペンの座標情報の検出＞
ここで、芯３７は、図示しない弾性部材により常に先端方向に付勢されている。芯３７は、ユーザが紙媒体７０に文字等を記載する場合の押圧力によって、上記弾性部材の付勢力に抗して電子ペン３の内部にやや退入する。この退入によって、芯３７の後端部が検出スイッチ３３を押下し、検出スイッチ３３がオン状態になる。これによって、電池３４とコイル３５とが導通して電池３４からコイル３５に向かって電流が流れ、コイル３５に電流が流れることで磁界が発生する。
【００２７】
電子筆記装置２の座標検出部２５は、上記のようにしてコイル３５から発生する磁界を電磁誘導に基づき検出する。なお、この検出は公知の手法で足りるので、詳細な説明は省略する。この座標検出部２５の検出結果に基づき、ＣＰＵ２０１は、ユーザが電子ペン３を用いて紙媒体７０へ筆記動作を行ったときの電子ペン３の移動に対応する、複数の位置情報（すなわち、上記座標情報）を取得する。なお、前述したように、本実施形態では、座標検出部２５の左上部の座標（Ｘ，Ｙ）を原点（０，０）とし、右方向をＸ軸、下方向をＹ軸とする座標系を用いる。すなわち、Ｘ座標の値が座標検出部２５（載置部２４）における左右方向の位置を表し、Ｙ座標の値が上下方向の位置を表す。
【００２８】
＜ディスプレイ＞
なお、ディスプレイ４は、電子筆記装置２に接続されており、ユーザが電子筆記装置２の載置部２４に載置した紙媒体７０の外観に相当する画像データや、ユーザによる紙媒体７０への記載内容に相当する後述するストロークデータの集合体を表示することができる。
【００２９】
＜電子筆記装置の電気的構成＞
図２を参照して、電子筆記装置２の電気的構成について説明する。図２に示すように、電子筆記装置２は、電子筆記装置２の制御を行うＣＰＵ２０１と、ＲＯＭ２０２と、種々のデータが一時的に記憶されるＲＡＭ２０３（第１記憶手段）と、フラッシュメモリ２０４と、入力部２２と、駆動回路２０６，２０９，２１０と、前述のネットワークＮＷを介したサーバＳＶとの情報送受信の制御を行う通信制御部２０７（第１通信手段）と、を備えている。
【００３０】
ＲＯＭ２０２、ＲＡＭ２０３、及びフラッシュメモリ２０４は、ＣＰＵ２０１に電気的に接続されている。ＲＯＭ２０２は、プログラム記憶領域２０２１と、画像データ記憶領域２０２３とを備えている。プログラム記憶領域２０２１には、ＣＰＵ２０１が電子筆記装置２を制御するために実行する各種プログラム（後述の図８や図１０に示す制御内容のデータ処理方法を実行するプログラム等）が記憶されている。画像データ記憶領域２０２３には、後述する紙媒体７０のフォーマット情報に対応した画像のデータが記憶されている。
【００３１】
フラッシュメモリ２０４は、座標情報記憶領域２０４１を備えている。座標情報記憶領域２０４１には、座標情報データテーブルが記憶される。
【００３２】
入力部２２及び駆動回路２０６，２０９，２１０は、ＣＰＵ２０１と電気的に接続されている。駆動回路２０６，２０９は、それぞれ、ディスプレイ２１及び座標検出部２５を駆動するための電子回路である。駆動回路２１０は、ディスプレイ４に画像を表示させるための電子回路である。
【００３３】
＜ストロークデータの生成＞
次に、図３及び図４を用いて、ストロークデータについて説明する。ストロークデータは、上記座標検出部２５の検出結果に基づきＣＰＵ２０１で取得された複数の座標情報からなる、ペン位置データ列である。図３及び図４には、２つのストロークデータ「ａ」「ｂ」の例を示している。
【００３４】
図３及び図４において、第１ストロークデータ「ａ」は、電子ペン３による文字「ａ」の書き始めから書き終わりまでの一筆書き部分の軌跡を表すデータであり、時系列に沿って、ペン位置番号Ｔ１，Ｔ２，・・，Ｔ１１それぞれに対応した、１１個の座標情報（Ｘ１，Ｙ１），（Ｘ２，Ｙ２），・・，（Ｘ１１，Ｙ１１）を含む（図４参照）。また、第２ストロークデータ「ｂ」は、電子ペン３による文字「ｂ」の書き始めから書き終わりまでの一筆書き部分の軌跡を表すデータであり、時系列に沿って、ペン位置番号Ｔ１２，Ｔ１３，・・，Ｔ２１それぞれに対応した、１０個の座標情報（Ｘ１２，Ｙ１２），（Ｘ１３，Ｙ１３），・・（Ｘ２１，Ｙ２１）を含む（図４参照）。このようにして、ＣＰＵ２０１は、座標検出部２５の検出結果に応じた複数の座標情報を用いて、ユーザが電子ペン３を用いて紙媒体７０へ記載した内容に対応した、ストロークデータを生成する。なお、このようにしてそれぞれ生成された複数のストロークデータの集合体が、各請求項記載の画像データ、特に文字列画像データに相当している。
【００３５】
＜本実施形態の特徴＞
以上の基本構成において、本実施形態の特徴は、ユーザが所定のマークＭ（識別用図像）を任意の位置に記入することにより、電子ペン３による紙媒体７０への実際の記載に対応した上記ストロークデータが、サーバＳＶの複数のフォルダのうちユーザの意図するフォルダに自動的に振り分けられ、保存されることにある。以下、その詳細を順を追って説明する。
【００３６】
図５に、本実施形態で用いられる紙媒体７０（被筆記媒体）に対し、上記ユーザによりマークＭが記入された場合の例を示す。図示のように、この例では、紙媒体７０には、ユーザが所望の文字・図形等（以下適宜、単に「書き込み文字」という。なお、数字・記号・符号等でも良い）Ｒを自由に記載可能なフリー書き込み領域７１が設けられている。この例では、書き込み文字Ｒとして、フリー書き込み領域７１に、例えば８月６日の月日を表す「８／６」が左上に記載され、午前１０時からの予定内容を表す「ＡＭ１０：００〜Ａ社プレゼン」と、午後２時からの予定内容を表す「ＰＭ２：００〜技術打合せ」との横書きの一群の文字列が上下２列に記載されている。
【００３７】
ここで、上記したように、本実施形態では、ユーザは、自らが記載した内容を、サーバＳＶのうちユーザの意図するフォルダに自動的に振り分けるために、所定のマークＭを任意の位置に記入する。このとき、本実施形態では、図６に示すように、ユーザがストロークデータの格納先として使用可能なフォルダとして、サーバＳＶ内に、「メモ」フォルダＦ１、「ＴＯＤＯ」フォルダＦ２、「予定」フォルダＦ３、「処理済み」フォルダＦ４、の合計４つのフォルダが設けられている。そして、「メモ」フォルダＦ１には三角形「△」のマークＭが対応付けられ、「ＴＯＤＯ」フォルダには四角形「□」のマークＭが対応付けられ、「予定」フォルダには星形「☆」のマークＭが対応付けられ、「処理済み」フォルダにはエックス（バツ）形「×」のマークＭが対応付けられている。そして、ユーザが、上記４つのフォルダＦ１〜Ｆ４のうち所望のフォルダに対応付けられた所定のマークＭを、書き込み文字Ｒと所定の位置関係（後述する）となる上記任意の位置に記入することにより、当該書き込み文字Ｒを含む紙媒体７０への記載内容が、上記所望のフォルダに保存される。
【００３８】
＜文字列の途中にマーキングする場合＞
図６の例では、上記所定の位置関係の一例として、ユーザによって、「ＡＭ１０：００〜Ａ社プレゼン」の書き込み文字Ｒの文字列の途中、すなわち文字「〜」と文字「Ａ」との間に、「☆」のマークＭが記載されている。これにより、ＣＰＵ２０１によってこの「☆」のマークＭが認識され、上記「ＡＭ１０：００〜Ａ社プレゼン」及び「ＰＭ２：００〜技術打合せ」という文字列群のストロークデータは、上記フォルダＦ１〜Ｆ４のうち、「☆」のマークＭＭに対応した「予定」フォルダＦ３に対して振り分けられ（図６中太破線矢印参照）、当該「予定」フォルダＦ３に自動的に保存される。
【００３９】
＜包囲線や接続線を使用する場合＞
図７を用いて、上記書き込み文字Ｒと上記マークＭとの所定の位置関係の別の例を説明する。この例では、ユーザは、紙媒体７０に対し書き込み文字Ｒの記載を行った後、その記載を包囲線ＲＣで包囲し、さらにこの包囲線ＲＣ上又はその近傍から延びる接続線ＲＬを用いて上記マークＭに対応付けている。すなわち、図７に示すように、ユーザによって、紙媒体７０に「Ａ社ＮＤＡ締結」及び「プレゼン資料」が上下２段に書き込み文字Ｒが記載されている。そして、当該書き込み文字Ｒを包囲するように包囲線ＲＣが記入され、この包囲線ＲＣから少し離れた位置に、上記「ＴＯＤＯ」フォルダＦ２に対応付けられる上記四角形のマーク「□」のマークＭが記入され、このマークＭ（又はその近傍部位でもよい）と包囲線ＲＣ（又はその近傍部位でもよい）とが接続線ＲＬで接続されている。これにより、ＣＰＵ２０１は、包囲線ＲＣ内の書き込み文字Ｒのストロークデータが接続線ＲＬを介しマークＭと関連付けられたことを認識する。なお、ＣＰＵ２０１のこの認識機能のうち、包囲線ＲＣを検出する機能が各請求項記載の包囲線検出手段に相当している。そしてこの認識を契機として、包囲線ＲＣ内の上記「Ａ社ＮＤＡ締結」及び「プレゼン資料」という文字列群のストロークデータが、上記フォルダＦ１〜Ｆ４のうち、上記「□」のマークＭに対応した「ＴＯＤＯ」フォルダＦ２に対して振り分けられ（図７中太破線矢印参照）、当該「ＴＯＤＯ」フォルダＦ２に自動的に保存される。
【００４０】
＜制御フロー＞
上記の内容を実現するために、電子筆記装置２のＣＰＵ２０１が実行する制御手順を、図８により説明する。なお、以下においては、上記図６の例に沿い、書き込み文字Ｒの所定の文字列中にマークＭを記入した場合を例にとって説明するが、上記図７の例のように、包囲線ＲＣとマークＭとが接続線ＲＬで接続される場合等においても、同様である。
【００４１】
図８において、このフローは、例えば、電子筆記装置２の電源がオンされ、所定のトリガー、すなわち、公知の手段により電子ペン３による筆記動作の検出がされることを契機に開始される。
【００４２】
まず、ステップＳ１０において、ＣＰＵ２０１は、前述のようにしてユーザが筆記を行ったときの座標検出部２５での検出結果に基づき、電子ペン３の複数の座標情報を取得する。この手順が、各請求項記載の位置取得手段として機能する。
【００４３】
その後、ステップＳ２０に移り、ＣＰＵ２０１は、ステップＳ１０で取得された座標情報に基づき、前述のようにして、ユーザの書き込み文字Ｒの内容に対応するストロークデータを生成する。この手順が、各請求項記載の第１データ生成手段として機能する。なお、生成されたストロークデータは、上記ＲＡＭ２０３に一時的に記憶される。
【００４４】
そして、ステップＳ３０において、ＣＰＵ２０１は、上記ステップＳ２０でのストロークデータの生成結果に基づき、書き込み文字Ｒのストロークデータ内に「△」のマークＭが検出されたかどうかを判定する。「△」のマークＭが検出されたら、ステップＳ３０の判定が満たされ（Ｓ３０：Ｙｅｓ）、ステップＳ４０に移行する。
【００４５】
ステップＳ４０では、ＣＰＵ２０１は、「△」のマークＭを含む書き込み文字Ｒの一群の文字列のストロークデータを、互いに関連する（ひとかたまりの）ストロークデータとして認識する。図６の例に沿うと、「ＡＭ１０：００〜Ａ社プレゼン」「ＰＭ２：００〜技術打合せ」の文字列群を、「△」マークによって振り分けるべき（ひとかたまりの）ストロークデータとして認識する。この認識は、ストロークデータ同士の座標の近接性や、次の一群の文字列のストロークデータとの間に生じる空白や、行違い、列違い等の検出等、公知の適宜の手法により行えば足りる。そして、ＣＰＵ２０１は、当該認識された、「△」のマークＭを含む一群の文字列のストロークデータを、上記通信制御部２０７よりネットワークＮＷを介して、サーバＳＶへ自動的に送信し、サーバＳＶ内の三角形「△」のマークＭに対応した「メモ」フォルダＦ１へ格納（保存）し、フローを終了する。
【００４６】
一方、上記ステップＳ３０において、「△」のマークＭが検出されなかった場合は、ステップＳ３０の判定が満たされず（Ｓ３０：Ｎｏ）、ステップＳ５０に移行する。ステップＳ５０では、ＣＰＵ２０１は、上記ステップＳ２０でのストロークデータの生成結果に基づき、書き込み文字Ｒのストロークデータ内に「□」のマークＭが検出されたかどうかを判定する。「□」のマークＭが検出されたら、ステップＳ５０の判定が満たされ（Ｓ５０：Ｙｅｓ）、ステップＳ６０に移行する。
【００４７】
ステップＳ６０では、ＣＰＵ２０１は、「□」のマークＭを含む書き込み文字Ｒの一群の文字列のストロークデータを、上記同様、互いに関連する（ひとかたまりの）ストロークデータとして認識した後にサーバＳＶへ自動的に送信し、サーバＳＶ内の四角形「□」のマークＭに対応した「ＴＯＤＯ」フォルダＦ２へ格納（保存）する。そして、このフローを終了する。
【００４８】
一方、上記ステップＳ５０において、「□」のマークＭが検出されなかった場合は、ステップＳ５０の判定が満たされず（Ｓ５０：Ｎｏ）、ステップＳ７０に移行する。ステップＳ７０では、ＣＰＵ２０１は、上記ステップＳ２０でのストロークデータの生成結果に基づき、書き込み文字Ｒのストロークデータ内に「☆」のマークＭが検出されたかどうかを判定する。「☆」のマークＭが検出されたら、ステップＳ７０の判定が満たされ（Ｓ７０：Ｙｅｓ）、ステップＳ８０に移行する。
【００４９】
ステップＳ８０では、ＣＰＵ２０１は、「☆」のマークＭを含む書き込み文字Ｒの一群の文字列のストロークデータを、上記同様、互いに関連する（ひとかたまりの）ストロークデータとして認識した後にサーバＳＶへ自動的に送信し、サーバＳＶ内の星形「☆」のマークＭに対応した「予定」フォルダＦ３へ格納（保存）する。そして、このフローを終了する。
【００５０】
一方、上記ステップＳ７０において、「☆」のマークＭが検出されなかったら、ステップＳ７０の判定が満たされず（Ｓ７０：Ｎｏ）、ステップＳ９０に移行する。ステップＳ９０では、ＣＰＵ２０１は、上記ステップＳ２０でのストロークデータの生成結果に基づき、書き込み文字Ｒのストロークデータ内に「×」のマークＭが検出されたかどうかを判定する。「×」のマークＭが検出されたら、ステップＳ９０の判定が満たされ（Ｓ９０：Ｙｅｓ）、ステップＳ１００に移行する。
【００５１】
ステップＳ１００では、ＣＰＵ２０１は、「×」のマークＭを含む書き込み文字Ｒの一群の文字列のストロークデータを、上記同様、互いに関連する（ひとかたまりの）ストロークデータとして認識した後にサーバＳＶへ自動的に送信し、サーバＳＶ内のエックス（バツ）形「×」のマークＭに対応した「処理済み」フォルダＦ４へ格納（保存）する。そして、フローを終了する。
【００５２】
一方、上記ステップＳ９０において、「×」のマークＭが検出されなかったら、ステップＳ９０の判定が満たされず（Ｓ９０：Ｎｏ）、上記ステップＳ３０に戻り、以下、同様の手順が行われる。
【００５３】
なお、上記ステップＳ３０、ステップＳ５０、ステップＳ７０、ステップＳ９０が、各請求項記載の第１図像検出手段として機能し、上記ステップＳ４０、ステップＳ６０、ステップＳ８０、ステップＳ１００が、各請求項記載の第１送信制御手段として機能する。
【００５４】
以上説明したように、本実施形態の電子筆記装置２においては、ユーザが電子ペン３を用いて筆記した内容を電子データ化することができる。すなわち、ユーザが、紙媒体７０を載置部２４にセットして、その紙媒体７０に対し電子ペン３を用いて所望の記載を行うと、筆記動作により移動する電子ペン３の複数の座標情報が取得される。その取得された複数の座標情報により、上記紙媒体７０への記載（書き込み文字Ｒ）に対応したストロークデータが生成される。この生成されたストロークデータは電子筆記装置２のＲＡＭ２０３に一時的に記憶される。
【００５５】
このとき、ユーザが、上記のように紙媒体７０に筆記による記載を行う際（又は行った後）、当該記載の内容を保存したいフォルダに対応付けられたマークＭを、記載と所定の位置関係となる任意の位置に記入する。これにより、ＣＰＵ２０１により上記マークＭの記入が検出され、上記ＲＡＭ２０３に記憶されたストロークデータが、サーバＳＶに備えられたフォルダＦ１〜Ｆ４のうちの上記マークＭに対応した所望のフォルダに自動的に振り分けられ、格納される。
【００５６】
この結果、ユーザは、紙媒体７０に対し電子ペン３を用いて筆記したときの記載内容を、マークＭの記入によって選択した所望のフォルダに確実に振り分けて格納することができる。これにより、ユーザは、筆記内容を自分の意図する分類で容易に仕分けながら保存することができるので、利便性を向上することができる。
【００５７】
また、特に、上記のマークＭの記入箇所は、紙媒体７０の特定の箇所に限定されることなく、紙媒体７０の上記記載に対し上記所定の位置関係となる限りにおいて、ユーザが任意に選ぶことができる。したがって、マークＭを記入できる領域（電子筆記装置２側で認識できる領域）が紙媒体７０の特定の箇所に限定される場合に比べて使い勝手がよくなり、さらに利便性を向上することができる。
【００５８】
また、本実施形態では特に、上記図６に示した例においては、ユーザが紙媒体７０に文字列を記載していくとき、文字列に含まれる適宜の文字と文字との間（前述の例では「〜」と文字「Ａ」との間）にマークＭを記入しておくだけで、当該文字列を所望のフォルダに確実に振り分けて格納することができる。したがって、文字列を順次記載していくときに当該文字列から電子ペン３を逸脱させることなくフォルダを指定できるので、マークＭ記入のためにユーザが電子ペン３を大きく移動させる労力をなくすことができ、さらに利便性を向上することができる。
【００５９】
また、本実施形態では特に、上記図７に示した例においては、ユーザは、紙媒体７０に対し記載を行った後、その記載内容のうち、マークＭを用いて所望のフォルダへ格納する部分を、包囲線ＲＣで包囲することによって指定することができる。この結果、ユーザは、紙媒体７０への筆記内容をさらに容易に仕分けながら保存することができ、さらに利便性を向上することができる。また、包囲線ＲＣ（又はその近傍でもよい）とマークＭ（又はその近傍でもよい）との間を接続線ＲＬを利用して結びつけることで、包囲線ＲＣとマークＭとを互いに離れた位置に記入することが可能となり、これによっても、さらに利便性を向上することができる。
【００６０】
なお、上記書き込み文字Ｒと上記マークＭとの所定の位置関係のさらに別の例として、上記図７のようにマークＭと包囲線ＲＣとを接続線ＲＬで接続する代わりに、マークＭを単に包囲線ＲＣの近傍位置（包囲線ＲＣのすぐ外側若しくはすぐ内側）に記入し、これによってＣＰＵ２０１がそれら書き込み文字ＲとマークＭとを認識するようにしてもよい。
【００６１】
なお、本発明は、上記実施形態に限られるものではなく、その趣旨及び技術的思想を逸脱しない範囲内で種々の変形が可能である。以下、そのような変形例を順を追って説明する。なお、上記実施形態と同等の部分には同一の符号を付し、適宜説明を省略又は簡略化する。
【００６２】
（１）ユーザの追記に対応した場合
すなわち、一度ユーザが紙媒体７０に対し記載を行い、対応するストロークデータが上記マークＭに対応したいずれかのフォルダＦ１〜Ｆ４に格納済みの状態で、当該紙媒体７０上に残る上記記載に対してさらにユーザが何らかの追記を行った場合に、当該追記に対応するデータ処理を行うようにしてもよい。
【００６３】
図９は、このような変形例における、紙媒体７０の状態の例を表す説明図である。この例では、ユーザが、上記実施形態において説明した図６に示す「ＡＭ１０：００〜Ａ社プレゼン」「ＰＭ２：００〜技術打合せ」の記載を行って対応するストロークデータが「予定」フォルダＦ３へ格納された状態で、それらすべてのテキストに対し、識別用図像としての取消線ＮＲの追記を行っている。この変形例において、上記取消線ＮＲは、「処理済み」フォルダＦ４に対応付けられている。この結果、上記のような追記が行われると、ＣＰＵ２０１の制御により、上述のようにして既に「予定」フォルダＦ３に存在している上記「ＡＭ１０：００〜Ａ社プレゼン」「ＰＭ２：００〜技術打合せ」のストロークデータが、「処理済み」フォルダＦ４に移動する。なお、取消線ＮＲの代わりに適宜の別のマークや記号や数字等が用いられても良い。
【００６４】
図１０は、上記の内容を実現するために、この変形例におけるＣＰＵが実行する制御手順を表すフローチャートである。上記図８と同等の手順には同一の符号を付し、適宜説明を省略又は簡略化する。
【００６５】
図１０に示すフローでは、図８のステップＳ２０とステップＳ３０との間に新たにステップＳ２１が設けられ、さらにこのステップＳ２１から分岐してステップＳ２２、ステップＳ３４、ステップＳ２４が設けられる。
【００６６】
すなわち、前述したようにステップＳ２０でＣＰＵ２０１がステップＳ１０で取得された座標情報に対応したストロークデータを生成したら、新たに設けたステップＳ２１に移る。
【００６７】
ステップＳ２１においては、ＣＰＵ２０１は、上記ステップＳ２０でのストロークデータの生成結果に基づき、紙媒体７０に対しマークＭとしての上記取消線ＮＲが検出されたかどうかを判定する。具体的には、横に水平な一本の直線又は二本の直線等が検出されたかどうかを判定する（この時点では過去の記載内容を取り消す、真の意味での取消線であるかどうかは分からない。後述のステップＳ２２参照）。取消線ＮＲが検出されなければステップＳ２１の判定が満たされず（Ｓ２１：Ｎｏ）、ステップＳ３０に移行して、図８のステップＳ３０以下の場合と同様の手順で処理が実行される。取消線ＮＲが検出されればステップＳ２１の判定が満たされて（Ｓ２１：Ｙｅｓ）、新たに設けたステップＳ２２に移行する。
【００６８】
ステップＳ２２では、ＣＰＵ２０１は、全てのフォルダＦ１〜Ｆ４を検索し、上記ステップＳ２１で検出された取消線に相当する座標位置に対応したストロークデータがあるかどうかを判定する。取消線に相当するストロークデータがいずれかのフォルダに存在すれば、ステップＳ２２の判定が満たされて（Ｓ２２：Ｙｅｓ）、ステップＳ２３に移行する。
【００６９】
ステップＳ２３では、上記ステップＳ２１で検出された取消線は、過去にいずれかのフォルダに格納済みのストロークデータに対応した実際の記載に対する真の取消線の記入（すなわち取消線の重ね書き）とみなすことができることから、ＣＰＵ２０１は、当該ストロークデータを「処理済み」フォルダＦ４に移動する。その後、このフローを終了する。
【００７０】
一方、上記ステップＳ２２において、取消線に相当するストロークデータが存在しなければ、ステップＳ２２の判定が満たされず（Ｓ２２：Ｎｏ）、ステップＳ２４に移行する。ステップＳ２４では、ＣＰＵ２０１は、上記ステップＳ２１で検出された取消線は、取消線のように見える類似の形状の新規の線描画の記載であったとみなし、このことを明示する所定のエラー表示をするための表示信号をディスプレイ２１へ出力する。その後、このフローを終了する。
【００７１】
本変形例においては、ユーザは、いったんマークＭを用いてサーバＳＶの所定のフォルダに保存した記載内容に対し、その後に取消線ＮＲの追記を行うことで、当該記載内容を格納するフォルダをさらに変更することができる。これにより、各フォルダＦ１〜Ｆ４の中にさらに小分類を設けて再整理しようとする場合や、各フォルダＦ１〜Ｆ４に保存した記載内容の位置づけが変わった（例えば上記の例では記載された事項をユーザが処理した等）場合等における、操作者の利便性を向上することができる。
【００７２】
（２）複数のフォルダに別々に振り分ける場合
上記実施形態においては、図６及び図７等に示したように、紙媒体７０に記載された書き込み文字Ｒが、全体として一体となって１つのフォルダに振り分けられ格納される場合を例にとって説明したが、これに限られない。例えば、図１１（ａ）に示す例では、３つの書き込み文字Ｒ１、書き込み文字Ｒ２、書き込み文字Ｒ３が紙媒体７０に記載された例を示している。そして、各書き込み文字Ｒ１,Ｒ２,Ｒ３に対応する所定の位置関係となる部位（この例ではほぼ同一行となる位置）に、上記各フォルダＦ１〜Ｆ４に対応するマークＭが記入されている。
【００７３】
すなわち、この例では、書き込み文字Ｒ１に対しては「☆」のマークＭが記入されて対応付けられ、書き込み文字Ｒ２に対しても「☆」のマークＭが記入されて対応付けられ、書き込み文字Ｒ３に対しては、「□」のマークＭが記入されて対応付けられている。これらの結果、前述の対応付けにより、ＣＰＵ２０１によって、書き込み文字Ｒ１のストロークデータは「予定」フォルダＦ３に格納され、書き込み文字Ｒ２のストロークデータは「予定」フォルダＦ３に格納され、さらに書き込み文字Ｒ３のストロークデータは「ＴＯＤＯ」フォルダＦ２に格納される。なお、上記のように、ほぼ同一行となる位置に存在することで書き込み文字Ｒ１〜Ｒ３とマークＭとを対応付けるのではなく、書き込み文字Ｒ１〜Ｒ３のうちアンダーラインが引かれたものだけを上記ほぼ同一行となる位置のマークＭと対応付けるようにしても良い。
【００７４】
本変形例によっても、上記実施形態と同様の効果を得ることができる。
【００７５】
（３）書き込み文字の一部を包囲線で囲み、マークと対応付ける場合
上記実施形態において図７を用いて説明したように、紙媒体７０に記載された書き込み文字Ｒの全体が包囲線ＲＣで包囲され、一体となって１つのフォルダに振り分けられ格納された。これに対し、本変形例では、図１１（ｂ）に示すように、ユーザが紙媒体７０に対し書き込み文字Ｒ１,Ｒ２,Ｒ３の記載を行った後、それらのうち２つの書き込み文字Ｒ１,Ｒ２のみを包囲線ＲＣで包囲することによって、振り分け対象のストロークデータであるとして指定している。また、その指定された書き込み文字Ｒ１,Ｒ２の振り分け先を指定するために、やや離れた、書き込み文字Ｒ３と略同一行となる位置に、「□」のマークＭが記入され、対応付けを明確とするために、上記包囲線ＲＣが「□」のマークＭの位置まで延びて「□」のマークＭを包含している
【００７６】
本変形例によっても、上記実施形態と同様の効果を得ることができる。
【００７７】
（４）その他バリエーション
なお、上記実施形態及び（２）（３）の変形例においては、１つの識別用図像をマークＭによって構成したが、これに限られない。例えば上記「△」「□」「☆」「×」のマークに代えて、適宜の数字や記号等、他の種類の図像を用いるようにしてもよい。さらには、マークＭと数字や記号との組み合わせにより、振り分け先のフォルダを指定するようにしてもよい。この場合、例えば、「☆１」「☆２」「☆３」「☆４」のように指定を行うことで、予定フォルダＦ３の中に設けた４つの小フォルダのいずれか１つをさらに細かく振り分け先として指定することができる。
【００７８】
（５）操作処理端末において処理を行う場合
以上においては、電子ペン３の位置検出機能、当該検出位置からストロークデータを生成する機能、「△」「□」「☆」「×」等のマークを検出する機能、上記生成されたストロークデータを上記マーク検出結果に応じたフォルダに振り分けて格納する機能、のすべてを、電子筆記装置２が備えていた。しかしながらこれに限られるものではない。
【００７９】
すなわち、先に図１に示したように、ネットワークＮＷを介し電子筆記装置２に対し接続される操作処理端末４００を設け、電子筆記装置２で検出した電子ペン３の位置情報を取得した後の、上記ストロークデータの生成、マーク検出、及びストロークデータの生成、を当該操作処理端末４００において行うようにしてもよい。
【００８０】
図１において、操作処理端末４００（図１中の二点鎖線参照）は、電子筆記装置２及びサーバＳＶと、有線あるいは無線によるネットワークＮＷを介して情報送受信可能に接続されている。操作処理端末４００は、例えばパーソナルコンピュータにより構成されており、液晶ディスプレイ等の表示部４０１と、キーボードやマウス等の操作部４０２と、記憶装置（図示せず）と、通信インターフェース（図示せず。第２通信手段に相当）と、ＣＰＵ（図示せず）と、ＲＯＭ（図示せず）と、ＲＡＭ（図示せず。第２記憶手段に相当）と、等を有する。
【００８１】
記憶装置は、例えばハードディスク等を備えた適宜の大容量記憶装置である。通信インターフェースは、電子筆記装置２の通信制御部２０７に対し、ネットワークＮＷを介して情報送受信可能に接続される。表示部４０１は、例えば液晶ディスプレイにより構成され、ユーザに対し、電子筆記装置２の表示部２１と同様の表示を行う。操作処理端末４００側のＣＰＵは、上記ＲＡＭの一時記憶機能を利用しつつ、ＲＯＭや記憶装置に予め記憶された制御プログラムを実行する。これにより、ＣＰＵは、操作処理端末４００全体の制御を行う。
【００８２】
なお、本変形例では、電子筆記装置２が各請求項記載の筆記位置検出装置を構成し、操作処理端末４００が筆記データ処理装置を構成する。
【００８３】
図１２を用いて、本変形例の操作処理端末４００の上記ＣＰＵが実行する制御手順を説明する。図１２において、まず、ステップＳ１１０で、操作処理端末４００のＣＰＵは、前述のようにして電子筆記装置２の上記座標検出部２５で取得された、電子ペン３による書き込み文字Ｒの座標情報を、上記通信制御部２０７及び上記ネットワークＮＷを介して取得する。
【００８４】
その後、ステップＳ１２０では、操作処理端末４００のＣＰＵは、上記図８のステップＳ２０と同様、上記ステップＳ１１０で取得された座標情報に基づき、前述のようにして、ユーザの書き込み文字Ｒの内容に対応するストロークデータを生成する。生成されたストロークデータは、一時的に上記ＲＡＭに記憶される。なお、この手順が、各請求項記載の第２データ生成手段として機能する。
【００８５】
ステップＳ１３０、ステップＳ１４０、ステップＳ１５０、ステップＳ１６０、ステップＳ１７０、ステップＳ１８０、ステップＳ１９０、ステップＳ２００は、上記図８のステップＳ３０、ステップＳ４０、ステップＳ５０、ステップＳ６０、ステップＳ７０、ステップＳ８０、ステップＳ９０、ステップＳ１００とそれぞれ同等である。すなわち、ステップＳ１３０、ステップＳ１５０、ステップＳ１７０、ステップＳ１９０では、それぞれ、操作処理端末４００のＣＰＵは、上記ステップＳ１２０でのストロークデータの生成結果に基づき、書き込み文字Ｒのストロークデータ内に「△」「□」「☆」「×」のマークＭが検出されたかどうかを判定する。またそのときの判定結果が満たされるか満たされないかに応じて、操作処理端末４００のＣＰＵは、ステップＳ１４０、ステップＳ１６０、ステップＳ１８０、ステップＳ２００において、上記通信インターフェースにより上記ネットワークＮＷを介してサーバＳＶにアクセスし、各マークに対応する上記フォルダＦ１，Ｆ２，Ｆ３，Ｆ４のいずれかに、上記ストロークデータを格納する。
【００８６】
なお、以上において、ステップＳ１３０、ステップＳ１５０、ステップＳ１７０、ステップＳ１９０が、各請求項記載の第２図像検出手段として機能し、上記ステップＳ１４０、ステップＳ１６０、ステップＳ１８０、ステップＳ２００が、各請求項記載の第２送信制御手段として機能する。
【００８７】
以上のように構成した本変形例では、ユーザが電子ペン３を用いて電子筆記装置２において紙媒体７０に筆記した内容を、操作処理端末４００で電子データ化することができる。すなわち、ユーザが、所定の紙媒体７０に対し電子ペン３を用いて所望の記載を行うと、筆記動作により移動する電子ペン３の複数の位置情報が電子筆記装置２によって検出される。そして、その検出された複数の位置情報を用いて、操作処理端末４００が上記紙媒体７０への記載に対応したストロークデータを生成する。この生成されたストロークデータは操作処理端末４００の上記ＲＡＭ（図示せず）に一時的に記憶される。
【００８８】
そして、本変形例では、上記のようにして記憶された、記載内容に対応したストロークデータを、操作処理端末４００がサーバＳＶにおける所望のフォルダに振り分けて格納することが可能である。すなわち、ユーザが、上記のように紙媒体７０に筆記による記載を行う際（又は行った後）、当該記載の内容を保存したいフォルダに対応付けられたマークＭを、記載と所定の位置関係となる任意の位置に記入する。これにより、操作処理端末４００のＣＰＵにより上記マークＭの記入が検出され、上記ＲＡＭに記憶されたストロークデータが、サーバＳＶに備えられたフォルダＦ１〜Ｆ４のうちの上記マークＭに対応した所望のフォルダに自動的に振り分けられ、格納される。
【００８９】
以上の結果、本変形例においても、上記実施形態と同様の効果を得ることができる。すなわち、ユーザは、紙媒体７０に対し電子ペン３を用いて筆記したときの記載内容を、マークＭの記入によって選択した所望のフォルダに確実に振り分けて格納することができる。これにより、ユーザは、筆記内容を自分の意図する分類で容易に仕分けながら保存することができるので、利便性を向上することができる。
【００９０】
また、上記実施形態と同様、特に、上記のマークＭの記入箇所は、紙媒体７０の特定の箇所に限定されることなく、紙媒体７０の上記記載に対し上記所定の位置関係となる限りにおいて、ユーザが任意に選ぶことができる。したがって、ユーザにとっての使い勝手がよく、さらに利便性を向上することができる。
【００９１】
なお、以上においては、電子ペン３からの磁界を座標検出部２５で検出することによりユーザの筆記動作による電子ペン３の移動を検出したが、これに限られない。すなわち、ユーザの筆記動作時における電子ペン３の先端の動きを、超音波や赤外線やカメラ撮像結果を用いて検知する方式を用いてもよい。また、電子筆記装置２の載置部２４に公知の感圧手段を設け、ユーザの筆記動作時において電子ペン３の先端が紙媒体７０を押圧する力を上記感圧手段で検出することにより、電子ペン３の先端の動きを検出してもよい。この場合には、電子ペン３として、上記のような磁界を発生するためのコイル３５を備えたペンではなく、通常のボールペンなどの汎用のペンを用いることができる。
【００９２】
また、以上においては、マークＭの書き込みを契機に、ＣＰＵ２０１が、対応する書き込み文字ＲをサーバＳＶへ送信してフォルダＦ１〜Ｆ４のいずれかに格納したが、これに限られない。すなわち、上記フォルダＦ１〜Ｆ４のようなユーザの意図する分類の複数のフォルダを、電子筆記装置２の内部（例えば上記フラッシュメモリ２０４の座標情報記憶領域２０４１等）に設け、上記同様の契機により、当該電子筆記装置２の内部の複数のフォルダに自動的に仕分けて格納するようにしてもよい。さらにはその電子筆記装置２の内部の複数のフォルダに一旦記憶させておき、その後、何らかの契機により、サーバＳＶの上記フォルダＦ１〜Ｆ４へと出力して格納するようにしてもよい。この場合、一旦記憶させる複数のフォルダを、電子筆記装置２の外部の、別途のＰＣ端末や携帯端末やスマートフォン等に設けてもよい。
【００９３】
なお、図８、図１０、図１２に示すフローチャートは本発明を上記フローに示す手順に限定するものではなく、発明の趣旨及び技術的思想を逸脱しない範囲内で手順の追加・削除又は順番の変更等をしてもよい。
【００９４】
また、以上既に述べた以外にも、上記実施形態や各変形例による手法を適宜組み合わせて利用しても良い。
【００９５】
その他、一々例示はしないが、本発明は、その趣旨を逸脱しない範囲内において、種々の変更が加えられて実施されるものである。
【符号の説明】
【００９６】
２                電子筆記装置
３                電子ペン（筆記具）
７０              紙媒体（被筆記媒体）
２０１            ＣＰＵ
２０３            ＲＡＭ（第１記憶手段）
２０７            通信制御部（第１通信手段）
４００            操作処理端末（筆記データ処理装置）
Ｆ１〜Ｆ４        フォルダ
Ｍ                マーク（識別用図像）
ＲＣ              包囲線
ＳＶ              サーバ
【図１】
2013097509.tif 000003
【図２】
2013097509.tif 000004
【図３】
2013097509.tif 000005
【図４】
2013097509.tif 000006
【図５】
2013097509.tif 000007
【図６】
2013097509.tif 000008
【図７】
2013097509.tif 000009
【図８】
2013097509.tif 000010
【図９】
2013097509.tif 000011
【図１０】
2013097509.tif 000012
【図１１】
2013097509.tif 000013
【図１２】
2013097509.tif 000014